(57)【要約】【課題】ホスト装置との通信を確立する。【解決手段】電子機器（１）は、インターフェースを介してホスト装置（２）より供給された電力から電子機器（１）の駆動電力を生成する直流・直流変換器（２０）であって、直流・直流変換器（２０）の消費電力が小さい第１のモードと第１のモードより直流・直流変換器（２０）の消費電力が大きい第２のモードとを有する直流・直流変換器（２０）と、インターフェースの接続開始からホスト装置（２）の供給可能電力が判明するまでの期間、直流・直流変換器（２０）を第１のモードにさせ、供給可能電力が判明し、供給可能電力が予め定められた電力量以上である場合に、直流・直流変換器（２０）を第２のモードに変更させる制御部（１７）とを備える。【選択図】図１
2013207848.tif 000002
【特許請求の範囲】
【請求項１】
インターフェースを介してホスト装置より供給された電力から電子機器の駆動電力を生成する直流・直流変換器であって、該直流・直流変換器の消費電力が小さい第１のモードと前記第１のモードより前記直流・直流変換器の消費電力が大きい第２のモードとを有する直流・直流変換器と、
前記インターフェースの接続開始から前記ホスト装置の供給可能電力が判明するまでの期間、前記直流・直流変換器を前記第１のモードにさせ、前記供給可能電力が判明し、前記供給可能電力が予め定められた電力量以上である場合に、前記直流・直流変換器を前記第２のモードに変更させる制御部と
を備えることを特徴とする電子機器。
【請求項２】
前記第１のモードは、
前記電子機器において、前記インターフェースを介して前記ホスト装置と通信を行うために必要な負荷を前記直流・直流変換器に駆動させる場合に、前記直流・直流変換器の消費電力が前記第２のモードより小さいモードである
ことを特徴とする請求項１に記載の電子機器。
【請求項３】
前記第２のモードは、
前記電子機器において、前記必要な負荷より大きい負荷を前記直流・直流変換器に駆動させる場合に、前記第１のモードより駆動効率よく駆動電力を前記電子機器に供給するモードである
ことを特徴とする請求項２に記載の電子機器。
【請求項４】
前記制御部は、
前記直流・直流変換器を前記第１のモードにさせる場合に、前記直流・直流変換器のスイッチング周波数を前記第２のモードより低め、
前記直流・直流変換器を前記第２のモードに変更させる場合に、前記直流・直流変換器のスイッチング周波数を前記第１のモードより高める
ことを特徴とする請求項１から請求項３のいずれか１項に記載の電子機器。
【請求項５】
前記直流・直流変換器は、
パルス幅変調によって、前記電子機器に供給する前記駆動電力を生成する制御を行う
ことを特徴とする請求項４に記載の電子機器。
【請求項６】
前記制御部は、
前記直流・直流変換器を前記第１のモードにさせる場合に、前記直流・直流変換器をパルス周波数変調によって制御させ、
前記直流・直流変換器を前記第２のモードに変更させる場合に、前記直流・直流変換器をパルス幅変調によって制御させる
ことを特徴とする請求項１から請求項３のいずれか１項に記載の電子機器。
【請求項７】
前記予め定められた電力量は、５００ミリアンペアである
ことを特徴とする請求項１から請求項６のいずれか１項に記載の電子機器。
【請求項８】
前記電子機器は、撮像装置である
ことを特徴とする請求項１から請求項７のいずれか１項に記載の電子機器。
【発明の詳細な説明】
【技術分野】
【０００１】
本発明は、電子機器に関する。
【背景技術】
【０００２】
ＵＳＢ（Universal Serial Bus）インターフェースを介して、パーソナルコンピュータなどのホスト装置から電力供給を受けて動作する電子機器が知られている。このような電子機器では、ホスト装置から供給される電力における電圧と、電子機器の内部回路が使用する電圧とが異なる場合がある。このような場合に、電子機器は、ホスト装置から供給される電力を直流・直流変換器（以下、ＤＣ−ＤＣコンバータという）によって所定の電圧に変換し、変換された電圧によって内部回路を駆動する。
なお、このような電子機器に搭載されるＤＣ−ＤＣコンバータでは、例えば、特許文献１に記載されている技術が用いられている。この特許文献１には、ＤＣ−ＤＣコンバータの出力電圧と基準電圧との差に基づいて、ＤＣ−ＤＣコンバータが駆動する負荷を検出し、負荷に応じてスイッチング周波数を変更することにより、ＤＣ−ＤＣコンバータの効率を向上する技術が記載されている。
【先行技術文献】
【特許文献】
【０００３】
【特許文献１】特開平１１−１５５２８１号公報
【発明の概要】
【発明が解決しようとする課題】
【０００４】
ところで、ＵＳＢインターフェースを介してこのような電子機器とホスト装置とを接続する場合、接続開始の際に、ホスト装置から供給される電流は、１００ｍＡ（ミリアンペア）までの電流である。そして、電子機器とホスト装置との間にＵＳＢインターフェースによる通信が確立された後、ホスト装置は、５００ｍＡなどの大きい電流を供給することが可能になる。そのため、電子機器は、１００ｍＡ以下の消費電流において、ＵＳＢインターフェースによる通信を確立する必要がある。そのため、例えば、撮像装置などの電子機器では、ＵＳＢインターフェースによる通信を行う際に、動作する必要のない回路部を停止して消費電流の低減を行っている。
しかしながら、電子機器の高機能化に伴い、電子機器の消費電流が増大して、１００ｍＡを上回ってしまうことがある。そのため、このような電子機器では、ホスト装置との通信を確立することができないことがある。また、特許文献１に記載の技術では、この場合のように、ＤＣ−ＤＣコンバータに供給される電力に制限がある場合、１００ｍＡの軽負荷であるにもかかわらず、出力電圧が低下するため、重負荷と判定されることがある。そのため、特許文献１に記載の技術では、このような場合には、電子機器の消費電流を低減することができなかった。
【０００５】
本発明は、上記問題を解決すべくなされたもので、その目的は、ホスト装置との通信を確立することができる電子機器を提供することにある。
【課題を解決するための手段】
【０００６】
上記問題を解決するために、本発明は、インターフェースを介してホスト装置より供給された電力から電子機器の駆動電力を生成する直流・直流変換器であって、該直流・直流変換器の消費電力が小さい第１のモードと前記第１のモードより前記直流・直流変換器の消費電力が大きい第２のモードとを有する直流・直流変換器と、前記インターフェースの接続開始から前記ホスト装置の供給可能電力が判明するまでの期間、前記直流・直流変換器を前記第１のモードにさせ、前記供給可能電力が判明し、前記供給可能電力が予め定められた電力量以上である場合に、前記直流・直流変換器を前記第２のモードに変更させる制御部とを備えることを特徴とする電子機器である。
【発明の効果】
【０００７】
本発明によれば、ホスト装置との通信を確立することができる。
【図面の簡単な説明】
【０００８】
【図１】第１の実施形態による撮像装置を示す概略ブロック図である。
【図２】第１の実施形態におけるＤＣ−ＤＣコンバータを示す概略ブロック図である。
【図３】第１の実施形態における撮像装置の動作を示すフローチャートである。
【図４】第２の実施形態におけるＤＣ−ＤＣコンバータを示す概略ブロック図である。
【図５】第２の実施形態における撮像装置の動作を示すフローチャートである。
【発明を実施するための形態】
【０００９】
以下、本発明の一実施形態による電子機器について図面を参照して説明する。
本実施形態では、電子機器の一例として、撮像装置である場合の例を説明する。
【００１０】
＜第１の実施形態＞
図１は、本実施形態による撮像装置１を示す概略ブロック図である。
この図において、撮像装置１は、ＵＳＢ（Universal Serial Bus）インターフェースを介して、ホスト装置であるパーソナルコンピュータ２（以下、パソコンという）に接続されている。撮像装置１は、ＵＳＢインターフェースを介して、パソコン２から電力を供給される。
なお、パソコン２からＵＳＢインターフェースを介して撮像装置１に電力を供給する場合、次のような手順によって行われる。まず、パソコン２と撮像装置１とが接続されると、パソコン２は、ＵＳＢインターフェースの規定により、１００ｍＡまでの電流（１００ｍＡを保証する電力）を撮像装置１に供給する。次に、この状態において、パソコン２と撮像装置１との間で通信が確立され、撮像装置１が、例えば、５００ｍＡまでの電流（５００ｍＡを保証する電力）を要求する。これに対して、パソコン２が、５００ｍＡの電力を供給可能な場合に、５００ｍＡを保証する電力を撮像装置１に供給する。
【００１１】
ところで、撮像装置１は、システム部１０、ＤＣ−ＤＣコンバータ２０、電源切り替え回路３０、及び電池４０を備えている。
【００１２】
電池４０は、例えば、二次電池であり、撮像装置１を駆動する電力を供給する。
電源切り替え回路３０は、撮像装置１がＵＳＢインターフェースを介してパソコン２と接続される場合に、制御部１７からの制御信号に基づいて、ＤＣ−ＤＣコンバータ２０に対して出力する電力を、電池４０から供給される電力と、パソコン２から供給される電力とのいずれかに切り替える。また、電源切り替え回路３０は、撮像装置１がＵＳＢインターフェースを介してパソコン２と接続される場合に、パソコン２から供給される電力によって、電池４０を充電するか否かを、制御部１７からの制御信号に基づいて切り替える。なお、電源切り替え回路３０は、電池４０の出力電圧を検出する検出部を備えており、検出部によって検出された電池４０の出力電圧を制御部１７に出力する。
【００１３】
システム部１０は、撮像装置１における撮像処理、撮像画像の表示処理、ＵＳＢインターフェースによる撮像画像の転送処理などの各種処理を実行する。システム部１０は、撮像部１１、画像処理部１２、表示部１３、ＵＳＢＩ／Ｆ（ＵＳＢインターフェース）部１４、操作部１５、記憶部１６、制御部１７、カードＩ／Ｆ部１８、及び記憶媒体１９を備えている。
【００１４】
撮像部１１は、設定された撮像条件（例えば、絞り値、露出値など）に基づいて制御部１７によって制御される。撮像部１１は、光学系を介した光学像を撮像素子に結像させ、Ａ／Ｄ（アナログ／デジタル）変換部によって変換された当該光学像に基づく画像データを生成する。
【００１５】
画像処理部１２は、記憶部１６に記憶されている画像処理条件に基づいて、画像データに対して画像処理を実行する。ここでいう画像データとは、画像処理部１２に入力される画像データ（入力画像）のことであり、例えば、撮像部１１によって撮像された撮像画像データ、又は記憶媒体１９から読み出された画像データのことである。
【００１６】
表示部１３は、例えば、液晶ディスプレイであり、撮像部１１によって得られた画像データや、操作画面等を表示する。なお、表示部１３は、ファインダ内の表示部でもよい。
ＵＳＢＩ／Ｆ部１４は、パソコン２とのデータ通信を行う。なお、ここで、ＵＳＢＩ／Ｆ部１４は、ＵＳＢインターフェースにおいて、通信を制御されるデバイスとして機能する。
【００１７】
操作部１５は、例えば、電源スイッチ、シャッターボタン、十字キー、確定ボタン、削除ボタン、及び、その他の操作キーを含み、使用者によって操作されることで、使用者の操作入力を受け付けて、制御部１７に供給する。
記憶部１６は、例えば、ＤＲＡＭ（Dynamic Random Access Memory）などであり、制御部１７の処理に使用する各種情報、撮像部１１による撮像条件、などを記憶する。
【００１８】
カードＩ／Ｆ部１８は、カードメモリ等の取り外しが可能な記憶媒体１９と接続され、この記憶媒体１９への画像データの書込み、読み出し、又は消去を行う。
記憶媒体１９は、撮像装置１に対して着脱可能に接続される記憶部であり、例えば、撮像部１１によって得られた画像データ（ファイル）などを記憶する。
バス５０は、撮像部１１と、画像処理部１２と、表示部１３と、ＵＳＢＩ／Ｆ部１４と、操作部１５と、記憶部１６と、制御部１７と、カードＩ／Ｆ部１８とに接続され、各部から出力された画像データや制御信号等を転送する。
【００１９】
制御部１７は、例えば、ＣＰＵ（Central Processing Unit）などを含み、撮像装置１が備える各部を制御する。制御部１７は、例えば、操作部１５を介して撮像指示を受け付けた際に、撮像部１１を介して得られる画像データを、記憶媒体１９に記憶させる。また、制御部１７は、例えば、操作部１５を介して画像表示指示を受け付けた際に、記憶媒体１９に記憶されている画像データを読み出して、表示部１３に表示させる。
また、制御部１７は、例えば、ＵＳＢＩ／Ｆ部１４、記憶部１６及びカードＩ／Ｆ部１８を制御して、パソコン２との間におけるＵＳＢインターフェースを介した画像データ（ファイル）の転送を行う。この際に、制御部１７は、画像データ（ファイル）の転送する処理に必要のない撮像部１１、画像処理部１２、表示部１３、及び操作部１５などの動作を停止させて、消費電力を低減させる。
【００２０】
また、制御部１７は、撮像装置１とパソコン２との間において、ＵＳＢインターフェースを介して画像データ（ファイル）の転送を行う場合に、電源切り替え回路３０及びＤＣ−ＤＣコンバータ２０の制御を行う。
制御部１７は、電源切り替え回路３０に対して、次のような制御を行う。
制御部１７は、上述のファイル転送を行う際に、電池４０の出力電圧に基づいて、電源切り替え回路３０に電源を切り替える制御信号を出力する。つまり、制御部１７は、ＤＣ−ＤＣコンバータ２０に供給する電力に、電池４０の出力電力を用いるか、パソコン２から供給される電力を用いるかを切り替える。制御部１７は、例えば、電池４０の出力電圧が３．０Ｖ（ボルト）以上である場合に、電源切り替え回路３０に対して、電池４０の出力電力をＤＣ−ＤＣコンバータ２０に供給させる。そして、制御部１７は、例えば、電池４０の出力電圧が３．０Ｖ（ボルト）より低い場合に、電源切り替え回路３０に対して、パソコン２から供給される電力をＤＣ−ＤＣコンバータ２０に供給させる。
【００２１】
また、制御部１７は、電源切り替え回路３０に対して、パソコン２から供給される電力を電池４０に供給するか否かの制御を行う。つまり、制御部１７は、パソコン２が例えば、１００ｍＡを保証する電力を撮像装置１に供給している場合に、パソコン２から供給される電力を電池４０に供給させない制御信号を出力する。また。制御部１７は、パソコン２が例えば、５００ｍＡを保証する電力を撮像装置１に供給している場合に、電源切り替え回路３０に対して、パソコン２から供給される電力を電池４０にも供給させる制御信号を出力する。これにより、電池４０は、パソコン２から供給される電力によって充電される。
【００２２】
また、制御部１７は、ＤＣ−ＤＣコンバータ２０に対して、次のような制御を行う。
制御部１７は、上述のファイル転送を行う際に、撮像装置１とパソコン２との間にＵＳＢインターフェースの接続が開始された場合に、ＤＣ−ＤＣコンバータ２０に後述するスイッチング周波数を１ＭＨｚに変更させる。つまり、制御部１７は、パソコン２から１００ｍＡを保証する電力が供給される場合に、スイッチング周波数が低いモード（第１のモード）である１ＭＨｚに変更させる。すなわち、制御部１７は、ＵＳＢインターフェースの接続開始からパソコン２の供給可能電力が判明するまでの期間、ＤＣ−ＤＣコンバータ２０をスイッチング周波数が低いモード（第１のモード）にさせる。
【００２３】
また、制御部１７は、撮像装置１とパソコン２との間の通信が確立されて、パソコン２から５００ｍＡを保証する電力が供給される場合に、ＤＣ−ＤＣコンバータ２０にスイッチング周波数を２ＭＨｚに変更させる。制御部１７は、パソコン２から５００ｍＡを保証する電力が供給される場合に、スイッチング周波数が高いモード（第２のモード）である２ＭＨｚに変更させる。すなわち、制御部１７は、パソコン２の供給可能電力が判明し、供給可能電力が予め定められた電力量を満たす場合（この場合、５００ｍＡ以上である場合）に、ＤＣ−ＤＣコンバータ２０をスイッチング周波数が高いモード（第２のモード）に変更させる。
【００２４】
ＤＣ−ＤＣコンバータ２０（直流・直流変換器）は、例えば、降圧型のＤＣ−ＤＣコンバータであり、パソコン２よりＵＳＢインターフェースを介して供給された電圧を降圧して、撮像装置１の各部に供給する。すなわち、ＤＣ−ＤＣコンバータ２０は、インターフェースを介してパソコン２より供給された電力から撮像装置１の駆動電力を生成する。なお、ＤＣ−ＤＣコンバータ２０は、パルス幅変調（以下、ＰＷＭという）によるスイッチング制御により、出力電圧を生成する。
また、ＤＣ−ＤＣコンバータ２０は、ＤＣ−ＤＣコンバータ２０の消費電力が小さい第１のモードと、この第１のモードよりＤＣ−ＤＣコンバータ２０の消費電力が大きい第２のモードとを有している。
【００２５】
第１のモードは、撮像装置１において、ＵＳＢインターフェースを介してパソコン２と通信を行うために必要な負荷（例えば、１００ｍＡ以下の負荷）をＤＣ−ＤＣコンバータ２０に駆動させる場合に、ＤＣ−ＤＣコンバータ２０の消費電力が第２のモードより小さいモードである。ここでは、第１のモードは、ＰＷＭ変調に使用するスイッチング周波数が１ＭＨｚ（メガヘルツ）の状態を示す。第１のモードにおけるスイッチング周波数１ＭＨｚは、後述する第２のモードにおけるスイッチング周波数（２ＭＨｚ）より周波数が低い状態である。ここで、ＤＣ−ＤＣコンバータ２０の消費電力とは、ＤＣ−ＤＣコンバータ２０自身が消費する電力のことである。
スイッチング周波数が低い場合、ＰＷＭ変調のパルス幅における立上り・立下り期間の占める割合が低くなるため、ＤＣ−ＤＣコンバータ２０が消費する消費電力を低減することができる。
【００２６】
第２のモードは、撮像装置１において、撮像処理、画像表示処理、画像データの転送処理などを行う場合に、ＤＣ−ＤＣコンバータ２０が最適な電力を供給することができるように、設定されたモードである。つまり、第２のモードは、撮像装置１において、上述の通信を行うために必要な負荷（例えば、１００ｍＡ以下の負荷）より大きい負荷をＤＣ−ＤＣコンバータ２０に駆動させる場合に、第１のモードより駆動効率よく駆動電力を撮像装置１に供給するモードである。具体的に、ここでは、第２のモードは、ＰＷＭ変調に使用するスイッチング周波数が２ＭＨｚの状態を示す。第２のモードにおけるスイッチング周波数２ＭＨｚは、第１のモードにおけるスイッチング周波数（１ＭＨｚ）より周波数が高い状態である。
【００２７】
次に、本実施形態におけるＤＣ−ＤＣコンバータ２０の構成を詳細に説明する。
図２は、本実施形態におけるＤＣ−ＤＣコンバータ２０を示す概略ブロック図である。
この図において、ＤＣ−ＤＣコンバータ２０は、ドライブ部２１、インダクタ２２、及びコンデンサ２３を備えている。ＤＣ−ＤＣコンバータ２０は、チョッパー式の降圧型のＤＣ−ＤＣコンバータである。
【００２８】
インダクタ２２は、電源切り替え回路３０から供給される電圧を降圧するチョッパーコイルとして機能する。
コンデンサ２３は、インダクタ２２によって降圧された電圧を平滑化する平滑コンデンサとして機能する。
なお、インダクタ２２とコンデンサ２３とは、上述の第２のモードである場合（スイッチング周波数に２ＭＨｚを使用する場合）に、撮像装置１を駆動するために最適な電力が、ＤＣ−ＤＣコンバータ２０から得られえるように設定されている。ここで、撮像装置１を駆動するために最適な電力とは、撮像装置１を駆動する上で必要な電圧範囲、供給電流、及びリップルやノイズの周波数成分などを満たす出力電力である。また、１ＭＨｚより周波数の高い２ＭＨｚにおいて最適な出力電力が得られるように設定されているため、インダクタ２２のインダクタンス値と、コンデンサ２３の静電容量値とを低減することができる。そのため、インダクタ２２及びコンデンサ２３とは、小型の部品を使用することができる。
【００２９】
ドライブ部２１は、ＰＷＭ制御により、出力負荷に応じたパルス幅の信号をインダクタ２２に供給する。ドライブ部２１は、初期設定端子部２１１、レジスタ部２１２、ＯＳＣ（オシュレータ回路）部２１３、ドライブ制御部２１４、及び、ドライブトランジスタ（２１５、２１６）を備えている。
【００３０】
初期設定端子部２１１は、ＯＳＣ部２１３の発振周波数（スイッチング周波数）の初期値を設定する。ここでは、初期設定端子部２１１は、１ＭＨｚに設定されている。初期設定端子部２１１は、設定されたスイッチング周波数の初期値情報をレジスタ部２１２に供給する。
レジスタ部２１２は、周波数情報（スイッチング周波数情報）を記憶する。レジスタ部２１２は、ＤＣ−ＤＣコンバータ２０の立ち上げの際（例えば、電源電力が供給された際）に、初期設定端子部２１１から供給されるスイッチング周波数の初期値情報を記憶する。また、レジスタ部２１２は、制御部１７から周波数情報が供給された場合に、この周波数情報を記憶する。レジスタ部２１２は、記憶している周波数情報をＯＳＣ部２１３に供給する。
なお、レジスタ部２１２には、上述の第１のモードである場合に、スイッチング周波数が１ＭＨｚに対応する周波数情報が記憶され、上述の第２のモードである場合に、スイッチング周波数が２ＭＨｚに対応する周波数情報が記憶される。
【００３１】
ＯＳＣ部２１３は、ＰＷＭ制御に使用するスイッチング周波数に対応するクロック信号を生成する発振回路である。ＯＳＣ部２１３は、レジスタ部２１２から供給される周波数情報に応じて定められた周波数のクロック信号を生成して、生成したクロック信号をドライブ制御部２１４に供給する。なお、ＯＳＣ部２１３は、上述の第１のモードである場合に、スイッチング周波数が１ＭＨｚに対応するクロック信号を生成し、上述の第２のモードである場合に、スイッチング周波数が２ＭＨｚに対応するクロック信号を生成する。
【００３２】
ドライブ制御部２１４は、ＤＣ−ＤＣコンバータ２０の出力に基づいて、フィードバック制御を行い、出力負荷に応じたＰＷＭ制御を行う。ドライブ制御部２１４は、ＰＷＭ制御に基づいて、ドライブ制御信号をドライブトランジスタ２１５及び２１６に供給する。
【００３３】
ドライブトランジスタ２１５は、ドライブ制御部２１４から供給されるドライブ制御信号に基づいて、電源切り替え回路３０から供給される電圧をドライブ信号としてインダクタ２２に供給する。また、ドライブトランジスタ２１６は、ドライブ制御部２１４から供給されるドライブ制御信号に基づいて、接地電圧をドライブ信号としてインダクタ２２に供給する。このドライブトランジスタ２１５及び２１６によって、出力負荷に応じたパルス幅のドライブ信号が、インダクタ２２に供給される。なお、このドライブ信号の周波数であるスイッチング周波数は、ＯＳＣ部２１３によって生成されたクロック信号の周波数に基づいて定められている。
つまり、ドライブトランジスタ２１５及び２１６は、第１のモードである場合に、スイッチング周波数１ＭＨｚのドライブ信号をインダクタ２２に供給し、第２のモードである場合に、スイッチング周波数２ＭＨｚのドライブ信号をインダクタ２２に供給する。
【００３４】
次に、本実施形態における撮像装置１の動作について説明する。
図３は、撮像装置１がＵＳＢインターフェースを介してパソコン２と接続された場合の動作を示すフローチャートである。
なお、本実施形態において、制御部１７は、ＤＣ−ＤＣコンバータ２０を第１のモードにさせる場合に、スイッチング周波数を第２のモードより低め、ＤＣ−ＤＣコンバータ２０を第２のモードに変更させる場合に、スイッチング周波数を第１のモードより高める例を説明する。
【００３５】
この図において、まず、撮像装置１とパソコン２とが接続されると、ＵＳＢインターフェースによる接続が開始される（ステップＳ１０１）。つまり、パソコン２から１００ｍＡを保証する電力が撮像装置１に供給される。なお、撮像装置１とパソコン２とが接続される初期状態において、撮像装置１の制御部１７は、電源切り替え回路３０に対して、パソコン２から供給される電力を電池４０に供給させない制御信号を出力する。つまり、この初期状態において、電池４０は、パソコン２から供給される電力によって充電されない状態にある。また、この初期状態において、制御部１７は、電源切り替え回路３０に対して、ＤＣ−ＤＣコンバータ２０に供給する電力にパソコン２から供給される電力を用いる制御信号を出力している。
【００３６】
次に、撮像装置１は、スイッチング周波数を１ＭＨｚに変更する（ステップＳ１０２）。つまり、撮像装置１の制御部１７は、ＵＳＢＩ／Ｆ部１４がパソコン２との接続を検出した場合に、ＤＣ−ＤＣコンバータ２０のレジスタ部２１２にスイッチング周波数が１ＭＨｚに対応する周波数情報を記憶させる。これにより、ＯＳＣ部２１３は、レジスタ部２１２が記憶している変更された周波数情報に基づいて、スイッチング周波数が１ＭＨｚに対応するクロック信号を生成して、ドライブ制御部２１４に供給する。そして、ドライブ制御部２１４は、スイッチング周波数１ＭＨｚによってＰＷＭ制御を行う。つまり、ＤＣ−ＤＣコンバータ２０が第１のモードに変更される。
【００３７】
次に、撮像装置１は、電池４０の出力電圧が３．０Ｖ以上であるか否かを判定する（ステップＳ１０３）。つまり、制御部１７が、電源切り替え回路３０の検出部によって検出された電池４０の出力電圧に基づいて、電池４０の出力電圧が３．０Ｖ以上であるか否かを判定する。制御部１７は、電池４０の出力電圧が３．０Ｖ以上であると判定した場合に、処理をステップＳ１０９に進める。また、制御部１７は、電池４０の出力電圧が３．０Ｖより低いと判定した場合に、処理をステップＳ１０４に進める。
【００３８】
次に、ステップＳ１０４の処理において、撮像装置１は、ＵＳＢインターフェースを介してパソコン２から供給された電力（１００ｍＡを保証する電力）を使用して、パソコン２と通信を行う。つまり、制御部１７は、ＵＳＢＩ／Ｆ部１４を介して、パソコン２との間のＵＳＢインターフェースによる通信を確立して、５００ｍＡを保証する電力を供給させる要求をパソコン２に対して行う。パソコン２は、５００ｍＡを保証する電力供給要求に対して、供給可能である場合に、５００ｍＡを保証する電力の供給を許可する情報を撮像装置１に出力する。
【００３９】
なお、ステップＳ１０４の処理において、撮像装置１は、自装置の消費電流を１００ｍＡ以内に抑える必要がある。そのため、制御部１７は、ＵＳＢインターフェースによる通信に最低限必要な部分のみ動作させ、その他の部分の動作を停止させるとともに、ＤＣ−ＤＣコンバータ２０を第１のモードにさせる。第１のモードでは、スイッチング周波数を第２のモードより低いため、ＤＣ−ＤＣコンバータ２０の消費電力を第２のモードより低減することができる。ここで、ＵＳＢインターフェースによる通信に最低限必要な部分とは、ＤＣ−ＤＣコンバータ２０、ＵＳＢＩ／Ｆ部１４、記憶部１６、及び制御部１７である。
【００４０】
次に、撮像装置１は、５００ｍＡを保証する電力供給の許可が得られたか否かを判定する（ステップＳ１０５）。つまり、制御部１７は、ＵＳＢＩ／Ｆ部１４を介して、５００ｍＡを保証する電力の供給を許可する情報を、パソコン２から取得する。そして、制御部１７は、５００ｍＡを保証する電力の供給を許可する情報をパソコン２から取得した場合に、処理をステップＳ１０７に進める。また、制御部１７は、この５００ｍＡを保証する電力の供給を許可する情報を取得できなかった場合に、処理をステップＳ１０６に進める。
【００４１】
ステップＳ１０６の処理において、撮像装置１は、ＵＳＢインターフェースによる接続を解除し処理を終了させる。つまり、制御部１７は、パソコン２より５００ｍＡを保証する電力供給が供給されないため、ＵＳＢインターフェースによる接続を解除し処理を終了させる。
【００４２】
また、ステップＳ１０７の処理において、撮像装置１は、スイッチング周波数を１ＭＨｚから２ＭＨｚに変更する。つまり、制御部１７は、ＤＣ−ＤＣコンバータ２０のレジスタ部２１２にスイッチング周波数が２ＭＨｚに対応する周波数情報を記憶させる。これにより、ＯＳＣ部２１３は、レジスタ部２１２が記憶している変更された周波数情報に基づいて、スイッチング周波数が２ＭＨｚに対応するクロック信号を生成して、ドライブ制御部２１４に供給する。そして、ドライブ制御部２１４は、スイッチング周波数２ＭＨｚによってＰＷＭ制御を行う。つまり、ＤＣ−ＤＣコンバータ２０が第２のモードに変更される。
【００４３】
次に、撮像装置１は、ファイル転送処理、電池４０の充電処理などを実行する（ステップＳ１０８）。つまり、ファイル転送処理を行う場合は、制御部１７が、ＵＳＢＩ／Ｆ部１４、及びカードＩ／Ｆ部１８を制御して、記憶媒体１９とパソコン２との間におけるファイル（画像データなど）の転送を行う。また、電池４０に充電する場合に、制御部１７は、電源切り替え回路３０に対して、パソコン２から供給される電力を電池４０に供給する制御を行う。すなわち、制御部１７は、電源切り替え回路３０に対して、パソコン２から供給される電力を電池４０にも供給させる制御信号を出力する。これにより、電池４０は、パソコン２から供給される電力によって充電される。
また、ステップＳ１０８の処理が完了した場合に、制御部１７は、処理を終了させる。
【００４４】
ところで、ステップＳ１０３において、制御部１７は、電池４０の出力電圧が３．０Ｖより低い場合にステップＳ１０９の処理に進めるが、ステップＳ１０９では、撮像装置１は、電池４０から供給される電力によってパソコン２と通信を行う。つまり、制御部１７は、電源切り替え回路３０に対して、電池４０の出力電力をＤＣ−ＤＣコンバータ２０に供給させる。そして、制御部１７は、ＵＳＢＩ／Ｆ部１４を介して、パソコン２との間のＵＳＢインターフェースによる通信を確立して、５００ｍＡを保証する電力を供給させる要求をパソコン２に対して行う。パソコン２は、５００ｍＡを保証する電力供給要求に対して、供給可能である場合に、５００ｍＡを保証する電力の供給を許可する情報を撮像装置１に出力する。
【００４５】
次に、撮像装置１は、５００ｍＡを保証する電力供給の許可が得られたか否かを判定する（ステップＳ１１０）。つまり、制御部１７は、ＵＳＢＩ／Ｆ部１４を介して、５００ｍＡを保証する電力の供給を許可する情報を、パソコン２から取得する。そして、制御部１７は、５００ｍＡを保証する電力の供給を許可する情報をパソコン２から取得した場合に、処理をステップＳ１１１に進める。また、制御部１７は、この５００ｍＡを保証する電力の供給を許可する情報を取得できなかった場合に、処理をステップＳ１０６に進める。
【００４６】
次に、ステップＳ１１１の処理において、撮像装置１は、スイッチング周波数を１ＭＨｚから２ＭＨｚに変更する。つまり、制御部１７は、ＤＣ−ＤＣコンバータ２０のレジスタ部２１２にスイッチング周波数が２ＭＨｚに対応する周波数情報を記憶させる。これにより、ＯＳＣ部２１３は、レジスタ部２１２が記憶している変更された周波数情報に基づいて、スイッチング周波数が２ＭＨｚに対応するクロック信号を生成して、ドライブ制御部２１４に供給する。そして、ドライブ制御部２１４は、スイッチング周波数２ＭＨｚによってＰＷＭ制御を行う。つまり、ＤＣ−ＤＣコンバータ２０が第２のモードに変更される。
【００４７】
次に、撮像装置１は、ＵＳＢインターフェースを介してパソコン２から供給される電力（５００ｍＡを保証する電力）をＤＣ−ＤＣコンバータ２０に供給させる（ステップＳ１１２）。つまり、制御部１７は、電源切り替え回路３０に対して、ＤＣ−ＤＣコンバータ２０に供給する電力にパソコン２から供給される電力を用いる制御信号を出力する。これにより、パソコン２から供給される電力（５００ｍＡを保証する電力）が、ＤＣ−ＤＣコンバータ２０に供給される。
次に、制御部１７は、上述したステップＳ１０８に処理を進める。
【００４８】
なお、ステップＳ１０２の処理において、撮像装置１は、スイッチング周波数を１ＭＨｚに変更しているが、既に、スイッチング周波数が１ＭＨｚに変更されている場合がある。例えば、電池４０の出力電圧が低く、撮像装置１を駆動できない場合には、パソコン２から供給される電力によって、ＤＣ−ＤＣコンバータ２０が立ち上げられる。この場合、ＤＣ−ＤＣコンバータ２０のレジスタ部２１２は、初期設定端子部２１１から供給されるスイッチング周波数の初期値情報を記憶するため、スイッチング周波数は、１ＭＨｚに変更されている。
【００４９】
以上のように、本実施形態においける撮像装置１は、ＤＣ−ＤＣコンバータ２０が、ＤＣ−ＤＣコンバータ２０の消費電力が小さい第１のモード（１ＭＨｚのモード）と第１のモードよりＤＣ−ＤＣコンバータ２０の消費電力が大きい第２のモード（２ＭＨｚのモード）とを有する。なお、ＤＣ−ＤＣコンバータ２０は、インターフェースを介してパソコン２より供給された電力から撮像装置１の駆動電力を生成する。そして、制御部１７が、ＵＳＢインターフェースの接続開始からパソコン２の供給可能電力が判明するまでの期間（ステップＳ１０１からステップＳ１０５までの期間）、ＤＣ−ＤＣコンバータ２０を第１のモードにさせる。つまり、この期間、制御部１７が、強制的にＤＣ−ＤＣコンバータ２０を第１のモードにさせる。
これにより、１００ｍＡを保証する電力がパソコン２から供給されるこの期間において、撮像装置１は、ＤＣ−ＤＣコンバータ２０の消費電力を低減することができる。よって、撮像装置１は、パソコン２（ホスト装置）との通信を確立するまでの期間、消費電流を低減することができる。したがって、撮像装置１は、パソコン２（ホスト装置）との通信を確立することができる。
【００５０】
なお、本実施形態においける撮像装置１は、ＤＣ−ＤＣコンバータ２０の消費電力を低減させることにより、撮像装置１の消費電力を簡易に低減することができる。つまり、撮像装置１が高機能化によって、回路規模が増大したとしても、撮像装置１の消費電流を低減するために、撮像装置１の開発のたびに、動作する必要のない回路部を停止する検討をするなどの複雑な設計を行う必要がない。そのため、撮像装置１の設計期間を短縮することができ、さらに、撮像装置１の高機能化が進みさらに大規模な回路構成になった場合にも対応することができる。
【００５１】
さらに、本実施形態において、パソコン２からの供給可能電力が判明し、この供給可能電力が予め定められた電力量（例えば、５００mＡを保証する電力）以上である場合に、制御部１７は、ＤＣ−ＤＣコンバータ２０を第２のモード（２ＭＨｚのモード）に変更させる。
これにより、第２のモードは、第１のモードより周波数が高いため、ＤＣ−ＤＣコンバータ２０の出力に発生するリップルを低減することができる。さらに、ＤＣ−ＤＣコンバータ２０に使用するインダクタ２２のインダクタンス値と、コンデンサ２３の静電容量値とを低減することができる。そのため、インダクタ２２及びコンデンサ２３の部品サイズを小さくすることが可能である。
【００５２】
なお、第２のモードは、撮像処理、画像表示処理、画像データの転送処理などを行う場合に、ＤＣ−ＤＣコンバータ２０が最適な電力を供給することができるように、設定されたモードである。すなわち、第２のモードは、撮像装置１において、上述の通信を行うために必要な負荷（例えば、１００ｍＡ以下の負荷）より大きい負荷をＤＣ−ＤＣコンバータ２０に駆動させる場合に、第１のモードより駆動効率よく駆動電力を撮像装置１に供給するモードである。
そのため、撮像装置１は、上述の処理を実行する上で、リップルの少ない安定した電源電力を得ることができる。つまり、撮像装置１は、上述の処理を安定して実行することができる。
【００５３】
また、本実施形態において、制御部１７は、ＤＣ−ＤＣコンバータ２０を第１のモードにさせる場合に、ＤＣ−ＤＣコンバータ２０のスイッチング周波数を第２のモードより低める（１ＭＨｚに低める）。また、制御部１７は、ＤＣ−ＤＣコンバータ２０を第２のモードに変更させる場合に、ＤＣ−ＤＣコンバータ２０のスイッチング周波数を第１のモードより高める（２ＭＨｚに高める）。
これにより、ＤＣ−ＤＣコンバータ２０のＯＳＣ部２１３の周波数を変更するだけで、第１のモードと第２のモードとの切り替えができるため、撮像装置１では、簡易な方法により、第１のモードと第２のモードとを切り替えることができる。
【００５４】
また、本実施形態において、ＤＣ−ＤＣコンバータ２０は、ＰＷＭ（パルス幅変調）によって、撮像装置１の負荷に応じて撮像装置１に供給する電力を制御する。すなわち、ＤＣ−ＤＣコンバータ２０は、ＰＷＭによって、ＤＣ−ＤＣコンバータ２０は、駆動電力を生成する制御を行う。
これにより、ＯＳＣ部２１３が生成するクロック信号の周波数を変更することで、第１のモードと第２のモードとを切り替えることができる。すなわち、撮像装置１では、簡易な方法により、第１のモードと第２のモードとを切り替えることができる。また、ＰＷＭ制御では、負荷に応じてパルス幅は変更されるが、スイッチング周波数は、第１のモードと第２のモードとを切り替える場合を除いて変更されない。そのため、ノイズ源となる周波数を予め知ることができる。よって、第２のモードを撮像装置１のアナログ部に影響を与えない周波数に設定することによって、ＤＣ−ＤＣコンバータ２０は、撮像装置１が動作する上で最適な電源電力を供給することができる。
【００５５】
また、本実施形態において、上述の予め定められた電力量は、５００ｍＡである。これにより、撮像装置１は、画像データ（ファイル）の転送処理や電池４０の充電処理を行うために十分な電力を確保できる場合に、制御部１７が、ＤＣ−ＤＣコンバータ２０を第２のモードのモードに変更させる。そのため、撮像装置１は、画像データ（ファイル）の転送処理や電池４０の充電処理を安定して行うことができる。
【００５６】
＜第２の実施形態＞
次に、本発明の第２の実施形態による電子機器（例えば、撮像装置）について図面を参照して説明する。
なお、第２の実施形態による撮像装置１の構成は、ＤＣ−ＤＣコンバータの制御が異なる点を除いて、第１の実施形態と同様である。そのため、第２の実施形態による撮像装置１の構成は、図示は省略するが、図１において、ＤＣ−ＤＣコンバータ２０がＤＣ−ＤＣコンバータ２０ａに置き換わる点を除き、第１の実施形態と同様である。
【００５７】
また、図４は、本実施形態におけるＤＣ−ＤＣコンバータ２０ａを示す概略ブロック図である。
この図において、ＤＣ−ＤＣコンバータ２０ａは、ドライブ部２１ａ、インダクタ２２、及びコンデンサ２３を備えている。この図において、図２と同一の構成については同一の符号を付し、その説明を省略する。なお、ＤＣ−ＤＣコンバータ２０ａは、チョッパー式の降圧型のＤＣ−ＤＣコンバータである。
また、ＤＣ−ＤＣコンバータ２０ａは、ＤＣ−ＤＣコンバータ２０ａの消費電力が小さい第１のモードと、この第１のモードよりＤＣ−ＤＣコンバータ２０ａの消費電力が大きい第２のモードとを有している。
【００５８】
第１のモードは、撮像装置１において、ＵＳＢインターフェースを介してパソコン２と通信を行うために必要な負荷（例えば、１００ｍＡ以下の負荷）をＤＣ−ＤＣコンバータ２０ａに駆動させる場合に、ＤＣ−ＤＣコンバータ２０ａの消費電力が第２のモードより小さいモードである。ここでは、第１のモードは、ＰＦＭ変調によりＤＣ−ＤＣコンバータ２０ａが制御される状態を示す。ここで、ＤＣ−ＤＣコンバータ２０ａの消費電力とは、ＤＣ−ＤＣコンバータ２０ａ自身が消費する電力のことである。
【００５９】
第２のモードは、撮像装置１において、撮像処理、画像表示処理、画像データの転送処理などを行う場合に、ＤＣ−ＤＣコンバータ２０ａが最適な電力を供給することができるように、設定されたモードである。つまり、第２のモードは、撮像装置１において、上述の通信を行うために必要な負荷（例えば、１００ｍＡ以下の負荷）より大きい負荷をＤＣ−ＤＣコンバータ２０ａに駆動させる場合に、第１のモードより駆動効率よく駆動電力を撮像装置１に供給するモードである。具体的に、ここでは、第２のモードは、ＰＷＭ変調によりＤＣ−ＤＣコンバータ２０ａが制御される状態を示す。
【００６０】
ドライブ部２１ａは、ＰＷＭ制御又はＰＦＭ制御（パルス周波数変調）により、出力負荷に応じたパルス幅及び周波数の信号をインダクタ２２に供給する。ドライブ部２１ａは、制御部１７から供給される制御切り替え信号に基づいて、ＰＷＭ制御とＰＦＭ制御とを切り替える。なお、ＰＦＭ制御では、ＰＷＭ制御よりスイッチング周波数を低める制御を行う。そのため、一般にＰＦＭ制御は、ＰＷＭ制御よりＤＣ−ＤＣコンバータ２０ａの消費電力を低減することができる。ここでは、第２のモード（ＰＷＭ制御のモード）におけるスイッチング周波数は、第１のモード（ＰＦＭ制御のモード）におけるスイッチング周波数より高い。
【００６１】
ドライブ部２１ａは、ＯＳＣ部２１３ａ、ドライブ制御部２１４ａ、及び、ドライブトランジスタ（２１５、２１６）を備えている。
ＯＳＣ部２１３ａは、ＰＷＭ制御及びＰＦＭ制御に使用するスイッチング周波数を生成するためのクロック信号を生成する発振回路である。ＯＳＣ部２１３ａは、予め定められた周波数のクロック信号を生成して、生成したクロック信号をドライブ制御部２１４ａに供給する。なお、ＯＳＣ部２１３ａは、第１の実施形態におけるＯＳＣ部２１３と異なり、予め定められた周波数のクロック信号を生成する。
【００６２】
ドライブ制御部２１４ａは、ＤＣ−ＤＣコンバータ２０ａの出力に基づいて、フィードバック制御を行い、出力負荷に応じたＰＷＭ制御又はＰＦＭ制御を行う。ドライブ制御部２１４ａは、ＰＷＭ制御又はＰＦＭ制御に基づいて、ドライブ制御信号をドライブトランジスタ２１５及び２１６に供給する。
なお、ドライブ制御部２１４ａは、制御部１７から供給される制御切り替え信号に基づいて、ＰＷＭ制御とＰＦＭ制御とを切り替える。
【００６３】
次に、第２の実施形態における撮像装置１の動作について説明する。
図５は、第２の実施形態における撮像装置１がＵＳＢインターフェースを介してパソコン２と接続された場合の動作を示すフローチャートである。
なお、本実施形態において、制御部１７は、ＤＣ−ＤＣコンバータ２０ａを第１のモードにさせる場合に、ＰＦＭ制御に変更させ、ＤＣ−ＤＣコンバータ２０ａを第２のモードに変更させる場合に、ＰＷＭ制御に変更させる例を説明する。
【００６４】
図５において、ステップＳ１０２ａ、Ｓ１０７ａ、及びＳ１１１ａを除く処理（ステップＳ１０１、Ｓ１０３〜Ｓ１０６、Ｓ１０８〜Ｓ１１０、及びＳ１１２）は、図３における第１の実施形態と同様である。ここでは、ステップＳ１０２ａ、Ｓ１０７ａ、及びＳ１１１ａの処理について説明する。
【００６５】
ステップＳ１０２ａの処理において、撮像装置１は、ＤＣ−ＤＣコンバータ２０ａの制御方法をＰＦＭ制御に変更する。つまり、撮像装置１の制御部１７は、ＵＳＢＩ／Ｆ部１４がパソコン２との接続を検出した場合に、ＤＣ−ＤＣコンバータ２０ａにＰＦＭ制御に対応する制御切り替え信号をＤＣ−ＤＣコンバータ２０ａのドライブ制御部２１４ａに出力する。これにより、ドライブ制御部２１４ａは、ＰＷＭ制御からＰＦＭ制御（第１のモード）に変更する。つまり、ＤＣ−ＤＣコンバータ２０ａが第１のモードに変更される。
【００６６】
また、ステップＳ１０７ａの処理において、撮像装置１は、ＤＣ−ＤＣコンバータ２０ａの制御方法をＰＦＭ制御からＰＷＭ制御に変更する。つまり、制御部１７は、ＤＣ−ＤＣコンバータ２０ａにＰＷＭ制御に対応する制御切り替え信号をＤＣ−ＤＣコンバータ２０ａのドライブ制御部２１４ａに出力する。これにより、ドライブ制御部２１４ａは、ＰＦＭ制御からＰＷＭ制御（第２のモード）に変更する。つまり、ＤＣ−ＤＣコンバータ２０ａが第２のモードに変更される。
また、ステップＳ１１１ａの処理もステップＳ１０７ａの処理と同様である。
【００６７】
以上のように、第２の実施形態においける撮像装置１は、ＤＣ−ＤＣコンバータ２０ａが、ＤＣ−ＤＣコンバータ２０ａの消費電力が小さい第１のモード（ＰＦＭ制御のモード）と第１のモードよりＤＣ−ＤＣコンバータ２０ａの消費電力が大きい第２のモード（ＰＷＭ制御）とを有する。なお、ＤＣ−ＤＣコンバータ２０ａは、パソコン２より供給された電力から撮像装置１の駆動電力を生成する。そして、制御部１７が、ＵＳＢインターフェースの接続開始からパソコン２の供給可能電力が判明するまでの期間（ステップＳ１０１、Ｓ１０２ａ、Ｓ１０３からステップＳ１０５までの期間）、ＤＣ−ＤＣコンバータ２０ａを第１のモードにさせる。つまり、この期間、制御部１７が、強制的にＤＣ−ＤＣコンバータ２０ａを第１のモードにさせる。
これにより、１００ｍＡを保証する電力がパソコン２から供給されるこの期間において、撮像装置１は、ＤＣ−ＤＣコンバータ２０ａの消費電力を低減することができる。よって、撮像装置１は、パソコン２（ホスト装置）との通信を確立するまでの期間、消費電流を低減することができる。したがって、撮像装置１は、パソコン２（ホスト装置）との通信を確立することができる。
【００６８】
なお、本実施形態においける撮像装置１は、ＤＣ−ＤＣコンバータ２０ａの消費電力を低減させることにより、撮像装置１の消費電力を簡易に低減することができる。つまり、撮像装置１が高機能化によって、回路規模が増大したとしても、撮像装置１の消費電流を低減するために、撮像装置１の開発のたびに、動作する必要のない回路部を停止する検討をするなどの複雑な設計を行う必要がない。そのため、撮像装置１の設計期間を短縮することができ、さらに、撮像装置１の高機能化が進みさらに大規模な回路構成になった場合にも対応することができる。
【００６９】
さらに、第２の実施形態において、パソコン２からの供給可能電力が判明し、この供給可能電力が予め定められた電力量（例えば、５００mＡを保証する電力）以上である場合に、制御部１７は、ＤＣ−ＤＣコンバータ２０ａを第２のモード（ＰＷＭ制御のモード）に変更させる。
これにより、第２のモードは、第１のモードより周波数が高いため、ＤＣ−ＤＣコンバータ２０ａの出力に発生するリップルを低減することができる。さらに、ＤＣ−ＤＣコンバータ２０ａに使用するインダクタ２２のインダクタンス値と、コンデンサ２３の静電容量値とを低減することができる。そのため、インダクタ２２及びコンデンサ２３の部品サイズを小さくすることが可能である。また、第２のモードは、ＰＷＭ制御であるため、スイッチング周波数が一定である。このため、第２のモードでは、ノイズ源となる周波数を予め知ることができる。よって、第２のモードを撮像装置１のアナログ部に影響を与えない周波数に設定することによって、ＤＣ−ＤＣコンバータ２０ａは、撮像装置１が動作する上で最適な電源電力を供給することができる。
【００７０】
また、第２の実施形態において、制御部１７は、ＤＣ−ＤＣコンバータ２０ａを第１のモードにさせる場合に、ＤＣ−ＤＣコンバータ２０ａをＰＦＭ（パルス周波数変調）によって制御させる。また、制御部１７は、ＤＣ−ＤＣコンバータ２０ａを第２のモードに変更させる場合に、ＤＣ−ＤＣコンバータ２０ａをＰＷＭ（パルス幅変調）によって制御させる。
これにより、ＤＣ−ＤＣコンバータ２０ａの制御切り替え信号を変更するだけで、第１のモードと第２のモードとの切り替えができるため、撮像装置１では、第１の実施形態と同様に、簡易な方法により、第１のモードと第２のモードとを切り替えることができる。
【００７１】
なお、本発明は、上記の各実施形態に限定されるものではなく、本発明の趣旨を逸脱しない範囲で変更可能である。
上記の各実施形態において、撮像装置１は、電池４０を備える形態を説明したが、電池４０を備えない形態でもよい。
また、上記の各実施形態において、ＵＳＢインターフェースを用いる形態を説明したが、ホスト装置から電力を供給できるインターフェースであれば、他のインターフェースを用いる形態でもよい。
【００７２】
また、上記の各実施形態において、制御部１７は、システム部１０全体の制御も行う形態を説明したが、ＤＣ−ＤＣコンバータ２０（又は２０ａ）を制御する制御部を別途備える形態でもよい。
また、上記の各実施形態において、制御部１７は、パソコン２との間の通信を確立する際に、必要のない部分の動作を停止させる形態を説明したが、第１のモードにすることによって１００ｍＡ以下の消費電流が達成できる場合には、動作を停止させない形態でもよい。
また、上記の各実施形態において、制御部１７は、専用のハードウェアにより実現されるものであってもよく、また、メモリ及びＣＰＵを備えて、プログラムによって実現されてもよい。
【００７３】
また、上記の各実施形態において、撮像装置１は、ＤＣ−ＤＣコンバータ２０（又は２０ａ）を１つ備える形態を説明したが、複数のＤＣ−ＤＣコンバータ２０（又は２０ａ）を備える形態でもよい。
また、上記の各実施形態において、電子機器として撮像装置１に適用する形態を説明したが、これに限定されるものではない。本発明は、例えば、携帯電話や携帯音楽プレイヤに適用する形態でもよいし、他の電子機器に適用する形態でもよい。
【００７４】
また、上記の第１の実施形態において、ＰＷＭ制御において第１のモードと第２のモードとで周波数を切り替える形態を説明したが、ＰＦＭ制御において第１のモードと第２のモードとで周波数を切り替える形態でもよい。例えば、制御部１７が、第１のモードにおいて、ＰＦＭ制御に使用する周波数範囲を低周波数の範囲にさせ、第２のモードにおいて、ＰＦＭ制御に使用する周波数の範囲を高周波数の範囲にさせてもよい。
【符号の説明】
【００７５】
１…撮像装置、２…パソコン、１７…制御部、２０，２０ａ…ＤＣ−ＤＣコンバータ
【図１】
2013207848.tif 000003
【図２】
2013207848.tif 000004
【図３】
2013207848.tif 000005
【図４】
2013207848.tif 000006
【図５】
2013207848.tif 000007